(57)【要約】【課題】  データカルーセルプロトコルを利用するＤＡＳＥデータ放送システムにおいてアプリケーションリソースを表すモジュール情報を伝送する方法及びその装置を提供する。【解決手段】  本発明は、所定数のモジュールで構成されたグループに関するグループ情報を提供するＤＳＩメッセージにモジュールグループ内の複数のモジュールの共通ＵＲＩ情報を載せる段階と、モジュール情報を提供するＤＩＩメッセージにグループ内モジュールのＵＲＩ情報のうち前記共通ＵＲＩ情報を除外した残りのＵＲＩ情報を載せる段階と、を含むモジュール情報伝送方法に関する。これにより、ＤＩＩメッセージの空間を節約して一つのＤＩＩメッセージ中にさらに多数のモジュールを載せて送ることができる。【選択図】  図４
2004166282.tif 000002
【特許請求の範囲】
【請求項１】
データカルーセルプロトコルを利用するＤＡＳＥデータ放送システムにおいてアプリケーションリソースを表すモジュール情報を伝送する方法において、
所定数のモジュールで構成されたグループに関するグループ情報を提供するＤＳＩ（ＤｏｗｎｌｏａｄＳｅｒｖｅｒＩｎｉｔｉａｔｅ）メッセージにモジュールグループ内の複数のモジュールの共通ＵＲＩ（ＵｎｉｖｅｒｓａｌＲｅｓｏｕｒｃｅＩｄｅｎｔｉｆｉｅｒ）情報を載せる段階と、
モジュール情報を提供するＤＩＩ（ＤｏｗｎｌｏａｄＩｎｆｏＩｎｄｉｃａｔｉｏｎ）メッセージにグループ内モジュールのＵＲＩ情報のうち前記共通ＵＲＩ情報を除外した残りのＵＲＩ情報を載せる段階と
を含むことを特徴とするモジュール情報伝送方法。
【請求項２】
前記共通ＵＲＩ情報は、ＤＳＩメッセージのＧＩＩ（ＧｒｏｕｐＩｎｄｉｃａｔｉｏｎＩｎｆｏｒｍａｔｉｏｎ）項目内のＧＲＯＵＰＩＮＦＯＢＹＴＥフィールドにディスクリプタ形態に挿入されることを特徴とする請求項１に記載のモジュール情報伝送方法。
【請求項３】
前記残りのＵＲＩ情報はＤＩＩメッセージのＤＥＳＣＲＩＰＴＯＲフィールドにディスクリプタ形態に挿入されることを特徴とする請求項１に記載のモジュール情報伝送方法。
【請求項４】
データカルーセルプロトコルを利用するＤＡＳＥデータ放送システムにおいてアプリケーションリソースを表すモジュール情報を伝送する方法において、
所定数のモジュールで構成されたグループに関するグループ情報を提供するＤＳＩメッセージにモジュールグループ内の複数のモジュールの共通コンテンツタイプ情報を載せる第１段階と、
モジュール情報を提供するＤＩＩメッセージにグループ内モジュールのコンテンツタイプ情報のうち前記共通コンテンツタイプ情報と異なるコンテンツタイプ情報を載せる第２段階と
を含むことを特徴とするモジュール情報伝送方法。
【請求項５】
前記第２段階は、
前記共通コンテンツタイプを有するモジュールに関するコンテンツタイプ情報は載せず、非共通コンテンツタイプを有するモジュールに関する他のコンテンツタイプ情報だけを載せることを特徴とする請求項４に記載のモジュール情報伝送方法。
【請求項６】
前記共通コンテンツタイプ情報はモジュールグループのモジュールにより最も頻繁に共有されるコンテンツタイプに対応することを特徴とする請求項４に記載のモジュール情報伝送方法。
【請求項７】
前記共通コンテンツタイプ情報はＤＳＩメッセージのＧＩＩ項目内のＧＲＯＵＰＩＮＦＯＢＹＴＥフィールドにディスクリプタ形態に挿入されることを特徴とする請求項４に記載のモジュール情報伝送方法。
【請求項８】
前記他のコンテンツタイプ情報はＤＩＩメッセージのＤＥＳＣＲＩＰＴＯＲフィールドにディスクリプタ形態に挿入されることを特徴とする請求項４に記載のモジュール情報伝送方法。
【請求項９】
前記共通コンテンツタイプ情報を共有する前記モジュールグループの各モジュールに対するＤＩＩメッセージＤＥＳＣＲＩＰＴＯＲ（）の構造は空欄に残されることを特徴とする請求項４に記載のモジュール情報伝送方法。
【請求項１０】
データカルーセルプロトコルを利用するＤＡＳＥデータ放送システムにおいてアプリケーションリソースを表すモジュール情報伝送装置において、
所定数のモジュールで構成されたグループに関するグループ情報を提供するＤＳＩメッセージとしてグループ内モジュールの共通ＵＲＩ情報が保存されたＤＳＩメッセージと、モジュール情報を提供するＤＩＩメッセージとしてグループ内の複数のモジュールのＵＲＩ情報のうち前記共通ＵＲＩ情報を除外した残りのＵＲＩ情報が保存されたＤＩＩメッセージと、を生成するメッセージ生成部と、
前記生成されたメッセージを伝送するメッセージ伝送部と
を含むことを特徴とするモジュール情報伝送装置。
【請求項１１】
前記共通ＵＲＩ情報は前記ＤＳＩメッセージのＧＲＯＵＰＩＮＦＯＩＮＤＩＣＡＴＩＯＮ（）構造のＧＲＯＵＰＩＮＦＯＢＹＴＥフィールドにディスクリプタとして挿入されることを特徴とする請求項１０に記載のモジュール情報伝送装置。
【請求項１２】
前記残りのＵＲＩ情報はＤＩＩメッセージのＤＥＳＣＲＩＰＴＯＲ（）構造にディスクリプタとして挿入されることを特徴とする請求項１０に記載のモジュール情報伝送装置。
【請求項１３】
データカルーセルプロトコルを利用するＤＡＳＥデータ放送システムにおいてアプリケーションリソースを表すモジュール情報伝送装置において、
所定数のモジュールで構成されたグループに関するグループ情報を提供するＤＳＩメッセージとしてグループ内の複数のモジュールの共通コンテンツタイプ情報が保存されたＤＳＩメッセージと、モジュール情報を提供するＤＩＩメッセージとしてグループ内モジュールのコンテンツタイプ情報のうち前記共通コンテンツタイプ情報と異なる他のコンテンツタイプ情報が保存されたＤＩＩメッセージと、を生成するメッセージ生成部と、
前記生成されたメッセージを伝送するメッセージ伝送部と
を含むことを特徴とするモジュール情報伝送装置。
【請求項１４】
前記共通コンテンツタイプ情報はモジュールグループのモジュールにより最も頻繁に共有されるコンテンツタイプに対応することを特徴とする請求項１３に記載のモジュール情報伝送装置。
【請求項１５】
前記共通コンテンツタイプ情報は前記ＤＳＩメッセージのＧＲＯＵＰＩＮＦＯＩＮＤＩＣＡＴＩＯＮ（）構造のＧＲＯＵＰＩＮＦＯＢＹＴＥフィールドにディスクリプタとして挿入されることを特徴とする請求項１３に記載のモジュール情報伝送装置。
【請求項１６】
前記他のコンテンツタイプ情報はＤＩＩメッセージのＤＥＳＣＲＩＰＴＯＲ（）構造にディスクリプタとして挿入されることを特徴とする請求項１３に記載のモジュール情報伝送装置。
【請求項１７】
前記共通コンテンツタイプ情報を共有する前記モジュールグループの各モジュールに対するＤＩＩメッセージＤＥＳＣＲＩＰＴＯＲ（）の構造は空欄に残されることを特徴とする請求項１３に記載のモジュール情報伝送方法。
【発明の詳細な説明】
【技術分野】
【０００１】
本発明はＤＡＳＥデータ放送システムにおいてデータカルーセルプロトコルを利用する場合、アプリケーションリソースを表すモジュールのレファレンス情報を伝送する方法及びモジュール情報伝送装置に関する。
【背景技術】
【０００２】
デジタルＴＶ放送技術の発展と共にさらに多くの付加情報をＴＶを通じて視聴者に伝達し、テレビを用いた電子商取引（Ｔ−Ｃｏｍｍｅｒｃｅ）を利用可能にする方式であるデータ放送に対する規格が定義されて具現されている。現在データ放送のための国際標準としてＡＴＳＣ（Ａｄｖａｎｃｅｄ Ｔｅｌｅｖｉｓｉｏｎ Ｓｙｓｔｅｍｓ Ｃｏｍｍｉｔｔｅｅ）のＤＡＳＥ、ＤＶＢ（Ｄｉｇｉｔａｌ Ｖｉｄｅｏ Ｂｒｏａｄｃａｓｔｉｎｇ）のＭＨＰ（Ｍｕｌｔｉｍｅｄｉａ Ｈｏｍｅ Ｐｌａｔｆｏｒｍ）、そしてＯＣＡＰ（Ｏｐｅｎ Ｃａｂｌｅ Ａｐｐｌｉｃａｔｉｏｎｓ Ｐｌａｔｆｏｒｍ）などがあるが、韓国内の地上波にはＤＡＳＥがワールドカップ及びアジア競技大会を経て現在試験放送中にある。
【０００３】
一方、ＡＴＳＣは２００２年９月にＤＡＳＥ−１を標準に確定したが、これと共にＡＴＳＣ Ｄａｔａ Ｂｒｏａｄｃａｓｔ Ｓｔａｎｄａｒｄ（Ａ／９０）及びＡＴＳＣ Ｄａｔａ Ａｐｐｌｉｃａｔｉｏｎ Ｒｅｆｅｒｅｎｃｅ Ｍｏｄｅｌ（Ａ／９４）にも修正された事項があって、韓国内ではこれに基づいて標準に適するように以前に具現した方式を修正中にある。修正される内容のうちＤＳＴ（Ｄａｔａ Ｓｅｒｖｉｃｅ Ｔａｂｌｅ）に入っていたマルチパートディスクリプタ、マルチプルアイデンティファイアストラクチュア、マルチプルコンテンツタイプストラクチュアがなくなり、このような情報がＤＳＭ−ＣＣ Ｕｓｅｒ−ｔｏ−Ｎｅｔｗｏｒｋの制御メッセージであるＤＩＩに移されるようになった。
【０００４】
ＤＡＳＥ標準はＡＴＳＣの他の標準１１０、１２０、１３０、１４０、１５０、１６０、１７０、１８０と図１に示したような階層的関係１００を有している。
【０００５】
ＤＡＳＥアプリケーション１９０は図１に図示された下位構造のデータサービスで提供される色々なプロトコルに伝送されうるが、ＤＳＴのプロトコル＿カプセル化フィールドに使われるプロトコルが明示される。これに関する内容はＡ／９０及びＡ／９１に詳細に記述されている。このようなフィールドの値が０ｘ０ＤであればＤＳＭ−ＣＣダウンロードプロトコルの非同期カルーセルシナリオ、すなわちデータカルーセル方式を表す。
【０００６】
データカルーセル方式は、図２に図示されたように限定量のカルーセル内のデータを循環的に反復して伝送する方式である。このようなデータカルーセルプロトコルを利用して伝えられる内容は宣言的アプリケーションであるか手順的アプリケーションであるが、宣言的アプリケーションはイニシャルエンティティがＡｐｐｌｉｃａｔｉｏｎ／ｘｈｔｍｌ＋ｘｍｌマークアップコンテンツタイプを有する場合のアプリケーションであり、手順的アプリケーションはイニシャルエンティティがＡｐｐｌｉｃａｔｉｏｎ／ｊａｖａｔｖ−ｘｌｅｔを有するアクティブオブジェクトコンテンツタイプのアプリケーションである。このようなアプリケーションのファイルは各々一つのモジュールで構成され、このモジュールを伝送するためにＤＤＢ（ＤｏｗｎｌｏａｄＤａｔａＢｌｏｃｋ）という単位でモジュールを分離する。
【０００７】
データカルーセルを通じＤＤＢを伝送する時、それぞれのモジュールに対する情報を受信端に提供するためにＤＩＩというメッセージが構成されるが、このメッセージにはＤＤＢに関する情報が挿入される。そして、もし、モジュールの数が多くて一つのグループに挿入されないか、管理上の便宜を提供するためにいくつかのグループを使用しなければならない場合にはいくつかのＤＩＩメッセージにモジュールを分けて構成していくつかのグループを有し、それぞれのグループに関する情報を受信端に報知するためにＤＩＩに関する情報を含むＤＳＩというメッセージを構成する。
【０００８】
図３に従来技術によってデータカルーセルを通じてモジュール伝送時に二層に伝送される制御情報の構造が例として図示されている。
【０００９】
ＤＳＩ３１０は二つのグループに関する情報を含んでおり、第１グループ情報ｇｉ（Ｇｒｏｕｐ ＩＤ）３１１は第１のＤＩＩ３２０を示し、第２グループ情報ｇｉ３１２は第２のＤＩＩ３６０を示す。第１のＤＩＩ３２０は第１モジュール情報ｍｉ（Ｍｏｄｕｌｅ ＩＤ）３３０、第２モジュール情報ｍｉ３４０、第３モジュール情報ｍｉ３５０を含んでおり、ｍｉ３３０はＤＤＢ３３１−３３４に関する情報を含んでおり、ｍｉ３４０はＤＤＢ３４１、３４２に関する情報を含んでおり、ｍｉ３５０はＤＤＢ３５１−３５３に関する情報を含んでいる。これと類似に第２のＤＩＩ３６０もｍｉ３７０、ｍｉ３８０、ｍｉ３９０を含んでおり、各ｍｉはＤＤＢに関する情報を含んでいる。すなわち、一つのｍｉにより指示されるＤＤＢはモジュールを構成し、一つのＤＩＩにより指示されるモジュールはグループを構成し、一つのＤＳＩにより指示されるグループらはスーパーグループを形成する。
【００１０】
さらに、図２を参照して、グループが２つある二層のデータカルーセル２００を説明する。
【００１１】
ＤＳＩメッセージ２１０は第１グループに関する情報及び第２グループに関する情報を有し、第１グループに含まれたモジュール情報を有するＤＩＩメッセージ２２０はモジュールＭ１、Ｍ２、Ｍ３に関する情報を有し、第２グループに含まれたモジュール情報を有するＤＩＩメッセージ２３０はモジュールＭ４、Ｍ５に関する情報を有する。Ｍ１、Ｍ２、Ｍ３、Ｍ４、Ｍ５は各々ファイル１、ファイル２、ファイル３、ファイル４、ファイル５を構成する。Ｍ１はＭ１−０ ２２１、Ｍ１−１ ２２２、Ｍ１−２ ２２３のＤＤＢで構成され、Ｍ２はＭ２−０ ２２４、Ｍ２−１ ２２５のＤＤＢで構成され、Ｍ３はＭ３−０ ２２６、Ｍ３−１ ２２７、Ｍ３−２ ２２８、Ｍ３−３ ２２９のＤＤＢで構成される。そして、Ｍ４はＭ４−０ ２３１、Ｍ４−１ ２３２、Ｍ４−２ ２３３のＤＤＢで構成され、Ｍ５はＭ５−０ ２３４、Ｍ５−１ ２３５、Ｍ５−２ ２３６、Ｍ５−３ ２３７のＤＤＢで構成される。このような情報を含んでいるデータカルーセルが図２に図示されたように循環的に受信される。
【００１２】
ＡＲＭ（Ａｐｐｌｉｃａｔｉｏｎ Ｒｅｆｅｒｅｎｃｅ Ｍｏｄｅｌ）１８０は、図１に図示されたようにＤＡＳＥ１９０標準の下位端に存在するＡＴＳＣ標準であって、アプリケーションの環境に関する情報を受信端に報知する役割をする。ここには、アプリケーションモデル、アイデンティフィケーションとネーミング、データカプセル化、ディスクリプタ、アナウンスメント、シグナリングに関する内容が入っている。
【００１３】
これらのうち標準の変更により現在試験放送ストリームで修正しなければならない部分はディスクリプタに関するものである。ファイルに関する経路及び名称を表すためにアイデンティファイア及びコンテンツタイプを受信端に提供しなければならないが、従来のＡＲＭ標準ではこれをマルチパートディスクリプタ、マルチプルアイデンティファイアストラクチュア、マルチプルコンテンツタイプストラクチュアを使用してＤＳＴに挿入して伝送した。しかし、現在定義されたＡＲＭ標準ではＤＳＴ内に前述したいろいろなディスクリプタに関する定義が消えてＤＳＴを通じてこのような情報を伝送できず、ＤＩＩのグループに関する情報内にＵＲＩディスクリプタ及びコンテンツタイプディスクリプタを挿入してファイルの経路及び名称に関する内容、そしてコンテンツタイプに関する情報を伝達するように修正された。
【００１４】
このようなＡＲＭバインディング情報の修正によってＤＳＴのサイズは小さくなった代わりにＤＩＩのサイズが大きくなったが、ＤＩＩは一つのセクションで構成されねばならないので、一つのＤＩＩに挿入されうるモジュールの数が減少し、このような制限により、一つのグループをグループリンクディスクリプタを使用していくつかのＤＩＩに分離して構成しなければならないために、ＤＡＳＥシステムにおいてデータカルーセルプロトコルを使用してファイルを伝送するには構成上の難しさがありうる。
【００１５】
したがって、ＤＩＩメッセージ内により多数のモジュールを載せて送るための解決方案の一つとして、ファイルの経路及び名称に関する情報とコンテンツタイプに関する情報とを減らすことが要求される。
【発明の開示】
【発明が解決しようとする課題】
【００１６】
本発明は前記のような問題点を解決してデータカルーセルプロトコルを利用するＤＡＳＥデータ放送システムにおいてＤＩＩメッセージの空間を無駄遣いせずにさらに多数のモジュールを載せて送ることができるモジュール情報伝送方法及びモジュール情報伝送装置を提供することを目的とする。
【課題を解決するための手段】
【００１７】
以上の課題を解決するために本発明が使用した方法は、ＤＳＩメッセージ内にグループに関する情報を挿入するＧＲＯＵＰＩＮＦＯＢＹＴＥにＵＲＩディスクリプタ及びコンテンツタイプディスクリプタを使用して共通ＵＲＩ情報及び共通コンテンツタイプ情報を載せ、ＤＩＩメッセージには前記共通情報は除外した残りの非共通情報だけを載せることである。
【００１８】
本発明の一つの特徴は、データカルーセルプロトコルを利用するＤＡＳＥデータ放送システムにおいてアプリケーションリソースを表すモジュール情報を伝送する方法において、所定数のモジュールで構成されたグループに関するグループ情報を提供するＤＳＩメッセージにモジュールグループ内の複数のモジュールの共通ＵＲＩ情報を載せる段階と、モジュール情報を提供するＤＩＩメッセージにグループ内モジュールのＵＲＩ情報のうち前記共通ＵＲＩ情報を除外した残りのＵＲＩ情報を載せる段階とを含むことである。
【００１９】
本発明の他の特徴は、データカルーセルプロトコルを利用するＤＡＳＥデータ放送システムにおいてアプリケーションリソースを表すモジュール情報を伝送する方法において、所定数のモジュールで構成されたグループに関するグループ情報を提供するＤＳＩメッセージにモジュールグループ内の複数のモジュールの共通コンテンツタイプ情報を載せる第１段階と、モジュール情報を提供するＤＩＩメッセージにグループ内モジュールのコンテンツタイプ情報のうち前記共通コンテンツタイプ情報と異なるコンテンツタイプ情報を載せる第２段階とを含むことである。
【００２０】
本発明のさらに他の特徴は、データカルーセルプロトコルを利用するＤＡＳＥデータ放送システムにおいてアプリケーションリソースを表すモジュール情報伝送装置において、所定数のモジュールで構成されたグループに関するグループ情報を提供するＤＳＩメッセージとしてグループ内モジュールの共通ＵＲＩ情報が保存されたＤＳＩメッセージと、モジュール情報を提供するＤＩＩメッセージとしてグループ内の複数のモジュールのＵＲＩ情報のうち前記共通ＵＲＩ情報を除外した残りのＵＲＩ情報が保存されたＤＩＩメッセージと、を生成するメッセージ生成部と、前記生成されたメッセージを伝送するメッセージ伝送部とを含むことである。
【００２１】
本発明のさらに他の特徴は、データカルーセルプロトコルを利用するＤＡＳＥデータ放送システムにおいてアプリケーションリソースを表すモジュール情報伝送装置において、所定数のモジュールで構成されたグループに関するグループ情報を提供するＤＳＩメッセージとしてグループ内の複数のモジュールの共通コンテンツタイプ情報が保存されたＤＳＩメッセージと、モジュール情報を提供するＤＩＩメッセージとしてグループ内モジュールのコンテンツタイプ情報のうち前記共通コンテンツタイプ情報と異なるコンテンツタイプ情報が保存されたＤＩＩメッセージと、を生成するメッセージ生成部と、前記生成されたメッセージを伝送するメッセージ伝送部とを含むことである。
【発明の効果】
【００２２】
本発明の構成によれば、アプリケーションリソースの情報、すなわち、ＵＲＩ情報やコンテンツタイプ情報のうち共通情報をＤＳＩメッセージを利用して表示し、非共通情報だけをＤＩＩメッセージに表示することによってＤＩＩメッセージの空間を節約して一つのＤＩＩメッセージ中にさらに多数のモジュールを載せて送ることができる。
【発明を実施するための最良の形態】
【００２３】
以下、添付した図面を参照して本発明を詳細に説明する。
【００２４】
さらに、図４を参照して本発明によってＤＳＩメッセージ及びＤＩＩメッセージを利用してアプリケーションリソース（モジュール）情報を伝送する概念を説明する。
【００２５】
ＤＳＩメッセージ４００はＤＯＷＮＬＯＡＤＳＥＲＶＥＲＩＮＩＴＩＡＴＥ（）４１０を含み、ＤＯＷＮＬＯＡＤＳＥＲＶＥＲＩＮＩＴＩＡＴＥ（）４１０はＧＲＯＵＰＩＮＦＯＩＮＤＩＣＡＴＩＯＮ（）４２０を含み、ＧＲＯＵＰＩＮＦＯＩＮＤＩＣＡＴＩＯＮ（）４２０はＧＲＯＵＰＩＮＦＯＢＹＴＥ４３０情報を含む。
【００２６】
ＧＲＯＵＰＩＮＦＯＩＮＤＩＣＡＴＩＯＮ（）４２０の具体的な情報が図５に図示されている。すなわち、ＤＳＩに含まれたグループ情報の数ほど図５に図示されたような項目が表示され、ｇｒｏｕｐＩｄ、ｇｒｏｕｐＳｉｚｅ、ｇｒｏｕｐＣｏｍｐａｔｉｂｉｌｉｔｙ、ｇｒｏｕｐＩｎｆｏＬｅｎｇｔｈなどを含み、ＧＲＯＵＰＩＮＦＯＢＹＴＥ４３０を含む。ＧＲＯＵＰＩＮＦＯＢＹＴＥ４３０はグループの属性を定義するディスクリプタを含むことができる。
【００２７】
ＤＩＩメッセージ４４０内にあるＤＯＷＮＬＯＡＤＩＮＦＯＩＮＤＩＦＩＣＡＴＩＯＮ（）４５０はｍｏｄｕｌｅＩＤ４６０を含み、ｍｏｄｕｌｅＩＤ４６０はＤＥＳＣＲＩＰＴＯＲ（）４７０を含む。このようなＤＥＳＣＲＩＰＴＯＲ（）４７０は該当モジュールＩＤを有するモジュールに関する付加的な情報を提供するのに使われる。
【００２８】
ＤＯＷＮＬＯＡＤＩＮＦＯＩＮＤＩＦＩＣＡＴＩＯＮ（）４５０の具体的な情報が図６に図示されている。すなわち、ＤＩＩメッセージに含まれたモジュールの数ほど図６に図示されたようなモジュールに関する情報が表示され、ＭＯＤＵＬＥＩＤ、ＭＯＤＵＬＥＳＩＺＥ、ＭＯＤＵＬＥＶＥＲＳＩＯＮ、ＭＯＤＵＬＥＩＮＦＯＬＥＮＧＴＨなどを含み、ＤＥＳＣＲＩＰＴＯＲを含む。
【００２９】
本発明はこのような構造でＤＳＩメッセージ４００のＧＲＯＵＰＩＮＦＯＢＹＴＥ４３０のＵＲＩディスクリプタ４３１及びコンテンツタイプディスクリプタ４３２を使用するが、ＵＲＩディスクリプタ４３１には同じグループ内に入っているモジュールの共通ベースＵＲＩ情報を載せ、コンテンツタイプディスクリプタ４３２には該当グループに最も多く入っているデフォルトコンテンツタイプ情報を入力する。そして、ＤＩＩメッセージ４４０のＤＥＳＣＲＩＰＴＯＲ（）４７０にもＵＲＩディスクリプタ４７１及びコンテンツタイプディスクリプタ４７２を載せるが、ＵＲＩディスクリプタ４７１には同じグループ内に入っているモジュールの共通ベースＵＲＩ情報以外に個別モジュールの残りの個別的なＵＲＩ情報を入れ、コンテンツタイプディスクリプタ４７２には該当モジュールがデフォルトコンテンツタイプである場合にはコンテンツタイプディスクリプタを使用せずにそのまま空けておき、該当モジュールがデフォルトコンテンツタイプでない場合にのみコンテンツタイプディスクリプタを使用してコンテンツタイプを定義させる。
【００３０】
同じグループ内に含まれたファイルは共通の経路に位置する確率が高いので、共通の経路名をＤＳＩメッセージに記録し、残りの個別的に異なる経路やファイル名だけをＤＩＩメッセージ内に記録することによって不要に反復される経路名をＤＩＩメッセージ内に全部入れなくて済むのでＤＩＩメッセージの空間を節約できる。また、同じグループ内にはイメージファイルなどのように同じコンテンツタイプを有するファイルが多くあるので、多くの部分を占めるコンテンツタイプをＤＳＩメッセージにデフォルトで記録し、ＤＩＩメッセージにはデフォルトコンテンツタイプを有するモジュールに対してはコンテンツタイプディスクリプタを省略し、他のコンテンツタイプを有するモジュールに対してのみその該当モジュールのコンテンツタイプディスクリプタを記録することによってまたＤＩＩメッセージの空間を節約できる。
【００３１】
ＤＳＩメッセージに共通ＵＲＩディスクリプタを含める場合の具体的な一例を図７に図示する。例えば、特定グループがモジュール１、モジュール２、モジュール３を含み、各モジュール１、モジュール２、モジュール３のＵＲＩが次の《表１》の通りであるとすれば、  各モジュールのＵＲＩ情報のうちｌｉｄ：／／ｋｂｓ．ｃｏ．ｋｒ／ｗｅａｔｈｅｒ／はいずれも同一であることが分かる。
【００３２】
【表１】
2004166282.tif 000003
【００３３】
したがって、ＤＳＩメッセージ７１０のＵＲＩディスクリプタ７３０には共通ＵＲＩであるｌｉｄ：／／ｋｂｓ．ｃｏ．ｋｒ／ｗｅａｔｈｅｒ／を記録し、ＤＩＩメッセージ７４０のＵＲＩディスクリプタに残りのＵＲＩ情報を記録する。すなわち、モジュール１ ７５０のＵＲＩディスクリプタ７５２にはＩｎｄｅｘ１．ｈｔｍｌを記録し、モジュール２ ７６０のＵＲＩディスクリプタ７６２にはＩｎｄｅｘ２．ｈｔｍｌを記録し、モジュール３ ７７０のＵＲＩディスクリプタ７７２にはＩｎｄｅｘ３．ｈｔｍｌを記録する。
【００３４】
ＤＳＩメッセージ８１０に共通コンテンツタイプディスクリプタを含める場合の具体的な一例を図８に図示する。例えば、モジュール１のコンテンツタイプが“Ｉｍａｇｅ／ｐｎｇ”であり、モジュール２のコンテンツタイプが“Ｉｍａｇｅ／ｊｐｇ”であり、モジュール３のコンテンツタイプが“Ｉｍａｇｅ／ｐｎｇ”である時、ＤＳＩメッセージ８１０のコンテンツタイプディスクリプタ８３０には発生頻度が高いが故に共通コンテンツタイプである“Ｉｍａｇｅ／ｐｎｇ”を記録し、ＤＩＩメッセージ８４０には、各モジュールに関する情報にデフォルトコンテンツタイプでないモジュールのコンテンツタイプを記録する。すなわち、モジュール１ ８５０及びモジュール３ ８７０のコンテンツタイプディスクリプタは空けておき、モジュール２ ８６０のコンテンツタイプディスクリプタ８６２には“Ｉｍａｇｅ／ｊｐｇ”を記録する。
【００３５】
図９は本発明によるモジュール情報伝送装置９００の一例を図示する。前記のようなモジュール情報伝送方法、すなわち、ＤＳＩメッセージにアプリケーションリソースの共通情報を入れ、ＤＩＩメッセージに残りの情報を入れて伝送する方法は図９に示したようなモジュール情報伝送装置により容易に具現できる。モジュール情報伝送装置９００はＤＳＩメッセージ９１１及びＤＩＩメッセージ９１２を生成するメッセージ生成部９１０と、前記メッセージ生成部により生成されたメッセージを伝送するメッセージ伝送部９２０と、を含む。
【００３６】
次いで、図１０ないし図１３を参照して、本発明のＤＳＩメッセージ及びＤＩＩメッセージに係るモジュール情報伝送方法を利用したシミュレーション結果を説明する。
【００３７】
図１０には各テストストリームに関する内容が表示されているが、各ストリーム毎に放送社、アプリケーション名称、グループの数、モジュールの数が表示されている。
【００３８】
実験ではストリームの受信及びテストのために三星電子で製作したデータ放送用ＳＴＢ（Ｋ−１５０ｉ）を使用し、テストストリームとしてアジア競技大会の試験放送中にＫＢＳとＭＢＣ、ＳＢＳが送出した試験放送用ストリームを使用した。ストリーム１及びストリーム３は放送中のプログラムと関係ない天気、交通、証券情報を提供する独立情報サービスであり、ストリーム２、４、５は放送されているアジア競技大会に関する競技内容及び結果などプログラム関連情報を提供するための連動型サービスである。
【００３９】
本発明の方式の性能テストのために本発明の適用時に減るデータ量と一つのＤＩＩ内に挿入されうるモジュールの数とを測定して比較すれば図１１に図示された通りである。表内部の数は各ストリームに対してアプリケーション全体に属しているあらゆるＵＲＩディスクリプタ及びコンテンツタイプディスクリプタの大きさを合算した値である。適用前に比べて適用後に容量が以前大きさの約４２％程度に減ったことが分かる。ストリーム３の場合には減少率が他のストリームに比べて少ないことが分かるが、これはストリーム３にあるリソースの経路名が短くて共通部分が少なく、かつファイルの名称が他のストリームに比べて少し長かったからである。
【００４０】
図１２はＵＲＩディスクリプタ及びコンテンツタイプディスクリプタの平均大きさを表したものである。ＵＲＩディスクリプタの場合には約３８バイトから１８バイトに約２０バイト程度の大きさ縮小の効果があり、コンテンツタイプディスクリプタの場合には約１２バイトから３バイトに約９バイト程度の大きさ縮小の効果がある。
【００４１】
図１３は実験測定値を利用して一つのＤＩＩメッセージに挿入可能なモジュールの最大数を図式化したものである。いままでＤＩＩメッセージ内に入っていた内容の大きさ及び標準の適用により入らねばならないＵＲＩ、コンテンツタイプディスクリプタの平均大きさを利用して、ＤＩＩメッセージが一つのセクション（４０９６バイト）で構成されるという定義を満足させる一つのＤＩＩ当りモジュールの最大数を求めた。グラフのＸ軸はストリームを、Ｙ軸はモジュールの数を表しており、各棒グラフの上端に表示された数値は提案方式を適用することにより増加するモジュールの比（適用後のモジュール数／適用前のモジュール数）を表したものである。適用後に約２倍のモジュールを挿入できることが分かる。
【００４２】
挿入可能なモジュールの数及び実際ストリームのグループ当りモジュール数を調べれば、本方式を適用する前にはストリーム５を除外したあらゆるストリームで現在の構造で構成できないことが分かるが、適用後にはストリーム３の場合にのみ一つのＤＩＩに挿入できず、一層の構造を二層に修正して二つのグループに修正する必要がある。
【産業上の利用可能性】
【００４３】
本発明はＤＡＳＥデータ放送システムにおいてデータカルーセルプロトコルを利用する場合、アプリケーションリソースを表すモジュールのレファレンス情報を伝送する方法及びモジュール情報伝送装置に適用できる。
【図面の簡単な説明】
【００４４】
【図１】ＡＴＳＣ標準とＤＡＳＥ標準との階層的関係を説明するための概念図である。
【図２】従来技術によるデータカルーセル伝送方式を説明するための概念図である。
【図３】従来技術によってデータカルーセルを通じてモジュール伝送時に二層に伝送される制御情報の構造を示した図面である。
【図４】本発明によってＤＳＩメッセージ及びＤＩＩメッセージを利用してアプリケーションリソース情報を伝送する概念を説明するための図面である。
【図５】図４に図示されたＤＳＩメッセージにおいてアプリケーションリソースの共通情報が挿入されるフィールドを説明するための図面である。
【図６】図４に図示されたＤＩＩメッセージにおいてアプリケーションリソースの非共通情報が挿入されるフィールドを説明するための図面である。
【図７】本発明によってアプリケーションリソースのＵＲＩ情報を伝送するＤＳＩメッセージ及びＤＩＩメッセージの具体的な例を示した図面である。
【図８】本発明によってアプリケーションリソースのコンテンツタイプ情報を伝送するＤＳＩメッセージ及びＤＩＩメッセージの具体的な例を示した図面である。
【図９】本発明によるモジュール情報伝送装置の一例を示した図面である。
【図１０】本発明によるアプリケーションリソース情報伝送方法の性能を実験するためのテストストリームを示した図面である。
【図１１】本発明によるアプリケーションリソース情報伝送方法によって伝送する場合の全体ディスクリプタ容量を示した図面である。
【図１２】本発明によるアプリケーションリソース情報伝送方法によって伝送する場合の各ディスクリプタの平均大きさを比較した図面である。
【図１３】本発明によるアプリケーションリソース情報伝送方法によって伝送する場合のＤＩＩ当り挿入可能なモジュールの数を示した図面である。
【符号の説明】
【００４５】
４００  ＤＳＩメッセージ
４１０  ＤＯＷＮＬＯＡＤＳＥＲＶＥＲＩＮＩＴＩＡＴＥ（）
４２０  ＧＲＯＵＰＩＮＦＯＩＮＤＩＣＡＴＩＯＮ（）
４３０  ＧＲＯＵＰＩＮＦＯＢＹＴＥ
４３１  ＵＲＩディスクリプタ
４３２  コンテンツタイプディスクリプタ
４４０  ＤＩＩメッセージ
４５０  ＤＯＷＮＬＯＡＤＩＮＦＯＩＮＤＩＦＩＣＡＴＩＯＮ（）
４６０  ＭＯＤＵＬＥＩＤ
４７０  ＤＥＳＣＲＩＰＴＯＲ（）
４７１  ＵＲＩディスクリプタ
４７２  コンテンツタイプディスクリプタ
【図１】
2004166282.tif 000004
【図２】
2004166282.tif 000005
【図３】
2004166282.tif 000006
【図４】
2004166282.tif 000007
【図５】
2004166282.tif 000008
【図６】
2004166282.tif 000009
【図７】
2004166282.tif 000010
【図８】
2004166282.tif 000011
【図９】
2004166282.tif 000012
【図１０】
2004166282.tif 000013
【図１１】
2004166282.tif 000014
【図１２】
2004166282.tif 000015
【図１３】
2004166282.tif 000016